(57)【要約】【課題】コンパクトな形態で納品して保管すること、及び、容易に組み立てること等が可能な商品陳列用具の組立シートを提供する。【解決手段】組立シート１０は、ミシン目１２を対称軸として左右対称に切り抜かれた逆凹形状の貫通部１１１が形成されるフック形成紙片１１と、第１折り溝１４を介してフック形成紙片１１に一体として設けられる第１基板紙片１３と、第２折り溝１６を介してフック形成紙片１１に一体として設けられる第２基板紙片１５と、折返し溝１８を介して第１延設部１３１に一体として設けられる連結紙片１７と、フック形成紙片１１の裏側に設けられる第１接着手段（両面テープ１９１）と、連結紙片１７の表側に設けられる第２接着手段（両面テープ１９２）と、を有する。【選択図】図１
0003233553.tif 000002
【実用新案登録請求の範囲】
【請求項１】
上下方向に延びるミシン目を対称軸として左右対称に切り抜かれた逆凹形状の貫通部が上下方向に間隔をあけて複数形成され、前記ミシン目で山折りに折り返すことによりＬ字状のフックが上下方向に間隔をあけて複数設けられるフック形成紙片と、
裏側に形成され上下方向に延びる第１折り溝を介して前記フック形成紙片の一方の側縁に一体として設けられ、前記フック形成紙片の上端よりも上方に突出する第１延設部を備える第１基板紙片と、
裏側に形成され上下方向に延びる第２折り溝を介して前記フック形成紙片の他方の側縁に一体として設けられ、前記フック形成紙片の上端よりも上方に突出する第２延設部を備える第２基板紙片と、
裏側に形成され上下方向に延びる折返し溝を介して前記第１延設部の外側縁に一体として設けられる連結紙片と、
前記フック形成紙片の裏側に設けられ、前記ミシン目に沿って折り返された前記フック形成紙片の裏側同士を接着する第１接着手段と、
前記連結紙片の表側に設けられ、前記第１延設部及び前記第２延設部と前記折返し溝に沿って表側に折り返された連結紙片とを接着する第２接着手段と、
を有することを特徴とする商品陳列用具の組立シート。
【請求項２】
上下方向に延びる帯部と当該帯部の一方の側縁に上下方向に間隔をあけて形成される複数のフック部とを含む第１レイヤー紙、及び、前記第１レイヤー紙と左右対称形状の第２レイヤー紙を備え、前記第１レイヤー紙と前記第２レイヤー紙とを重ね合わせて接着することによりＬ字状のフックが上下方向に間隔をあけて複数設けられるフック形成紙片と、
裏側に形成され上下方向に延びる第１折り溝を介して前記第１レイヤー紙の他方の側縁に一体として設けられ、前記フック形成紙片の上端よりも上方に突出する第１延設部を備える第１基板紙片と、
裏側に形成され上下方向に延びる第２折り溝を介して前記第２レイヤー紙の他方の側縁に一体として設けられ、前記フック形成紙片の上端よりも上方に突出する第２延設部を備える第２基板紙片と、
裏側に形成され上下方向に延びる折返し溝を介して前記第１延設部の外側縁に一体として設けられる連結紙片と、
前記第１レイヤー紙及び前記第２レイヤー紙の裏側に設けられ、前記第１レイヤー紙及び前記第２レイヤー紙の裏側同士を接着する第１接着手段と、
前記連結紙片の表側に設けられ、前記第１延設部及び前記第２延設部と前記折返し溝に沿って表側に折り返された連結紙片とを接着する第２接着手段と、
を有することを特徴とする商品陳列用具の組立シート。
【請求項３】
前記連結紙片は、円形の吊下孔を有し、
前記第１延設部及び前記第２延設部は、前記吊下孔との重なりを回避する切欠きを有することを特徴とする請求項１又は２記載の商品陳列用具の組立シート。
【考案の詳細な説明】
【技術分野】
【０００１】
本考案は、スーパーマーケット等の店舗内において商品を陳列する際に用いられる商品陳列用具を組み立てることが可能な紙製の組立シートに関する。
【背景技術】
【０００２】
スーパーマーケットやコンビニエンスストア等の店舗内において、小袋や小箱に入れられた衛生用マスクやスナック菓子等の商品を上下方向に並べて陳列することが可能な用具として、従来、合成樹脂製の商品陳列用具が知られている（例えば、特許文献１参照）。かかる用具は、ヒモやＳ字金具が取り付けられる吊下孔と、当該吊下孔の下方に複数突設されるフックとを有し、店舗内に固設された大型の金属製陳列棚や金網などに吊り下げられて使用される。特許文献１に示される商品吊り下げ陳列具においては、吊下孔としての貫通孔２が上端側に穿設されており、この貫通孔２を利用して、店の壁面などに吊下げて垂直に配置し、フックとしての引っかけ片３に商品Ｇを吊り下げて陳列することができる（同文献段落［００１１］参照）。
【先行技術文献】
【特許文献】
【０００３】
【特許文献１】実用新案登録第３０４００４２号公報
【考案の概要】
【考案が解決しようとする課題】
【０００４】
前述の商品陳列用具は、短期的ないし単発的に販売される商品を陳列するために使用されるケースが多く、使用前の状態においてはコンパクトな形態で店舗内に納入し保管しておけることが望ましく、使用時には容易に組み立てて使用できることが望ましい。前述の商品陳列用具は、当該商品の陳列販売の終了にともなって廃棄処分されることがあるが、特許文献１に示される用具のように合成樹脂製（例えばプラスチック製）のものであると折り曲げて廃棄することが困難であり、また、焼却処分の際には環境問題が懸念される。
【０００５】
本考案は、上記課題に鑑みてなされたものであり、使用前の状態においてはコンパクトな形態で納入して保管することができ、使用に際しては容易に組み立てて使用することができ、使用後には折り曲げて廃棄し易く焼却処分による環境負荷の低い商品陳列用具の組立シートを提供することを目的とする。
【課題を解決するための手段】
【０００６】
本考案に係る商品陳列用具の組立シートの第１形態は、
上下方向に延びるミシン目を対称軸として左右対称に切り抜かれた逆凹形状の貫通部が上下方向に間隔をあけて複数形成され、前記ミシン目で山折りに折り返すことによりＬ字状のフックが上下方向に間隔をあけて複数設けられるフック形成紙片と、
裏側に形成され上下方向に延びる第１折り溝を介して前記フック形成紙片の一方の側縁に一体として設けられ、前記フック形成紙片の上端よりも上方に突出する第１延設部を備える第１基板紙片と、
裏側に形成され上下方向に延びる第２折り溝を介して前記フック形成紙片の他方の側縁に一体として設けられ、前記フック形成紙片の上端よりも上方に突出する第２延設部を備える第２基板紙片と、
裏側に形成され上下方向に延びる折返し溝を介して前記第１延設部の外側縁に一体として設けられる連結紙片と、
前記フック形成紙片の裏側に設けられ、前記ミシン目に沿って折り返された前記フック形成紙片の裏側同士を接着する第１接着手段と、
前記連結紙片の表側に設けられ、前記第１延設部及び前記第２延設部と前記折返し溝に沿って表側に折り返された連結紙片とを接着する第２接着手段と、
を有することを特徴とする。
【０００７】
本考案に係る商品陳列用具の組立シートの第２形態は、
上下方向に延びる帯部と当該帯部の一方の側縁に上下方向に間隔をあけて形成される複数のフック部とを含む第１レイヤー紙、及び、前記第１レイヤー紙と左右対称形状の第２レイヤー紙を備え、前記第１レイヤー紙と前記第２レイヤー紙とを重ね合わせて接着することによりＬ字状のフックが上下方向に間隔をあけて複数設けられるフック形成紙片と、
裏側に形成され上下方向に延びる第１折り溝を介して前記第１レイヤー紙の他方の側縁に一体として設けられ、前記フック形成紙片の上端よりも上方に突出する第１延設部を備える第１基板紙片と、
裏側に形成され上下方向に延びる第２折り溝を介して前記第２レイヤー紙の他方の側縁に一体として設けられ、前記フック形成紙片の上端よりも上方に突出する第２延設部を備える第２基板紙片と、
裏側に形成され上下方向に延びる折返し溝を介して前記第１延設部の外側縁に一体として設けられる連結紙片と、
前記第１レイヤー紙及び前記第２レイヤー紙の裏側に設けられ、前記第１レイヤー紙及び前記第２レイヤー紙の裏側同士を接着する第１接着手段と、
前記連結紙片の表側に設けられ、前記第１延設部及び前記第２延設部と前記折返し溝に沿って表側に折り返された連結紙片とを接着する第２接着手段と、
を有することを特徴とする。
【０００８】
前記第１又は第２形態の商品陳列用具の組立シートは、
前記連結紙片は、円形の吊下孔を有し、
前記第１延設部及び前記第２延設部は、前記吊下孔との重なりを回避する切欠きを有するものであっても良い。
【考案の効果】
【０００９】
本考案によれば、使用前の状態においてはコンパクトな形態で納入して保管することができ、使用に際しては容易に組み立てて使用することができ、使用後には折り曲げて廃棄し易く焼却処分による環境負荷の低い商品陳列用具の組立シートを提供することができる。  
【図面の簡単な説明】
【００１０】
【図１】本考案に係る第１形態の商品陳列用具の組立シートを示す図であり、特に、使用前（組立前）の状態を示し、（Ａ）は上面図、（Ｂ）は正面図、（Ｃ）は背面図である。
【図２】図１に示す組立シートを一部組み立てた状態を示す図であり、（Ａ）は上面図、（Ｂ）は正面図である。
【図３】図２に示す組立シートを一部組み立てた状態を示す図であり、特に、（Ａ）は上面図、（Ｂ）は正面図である。
【図４】図３に示す組立シートを一部組み立てた状態を示す図であり、特に、（Ａ）は上面図、（Ｂ）は正面図である。
【図５】図４に示す組立シートを組み立てる過程を示す図であり、特に、（Ａ）は図４に示す組立シートを反時計回りに約９０°回転させる途中の状態を示す上面図であり、（Ｂ）は同（Ａ）に示す状態からの組立の最終工程を示す上面図であり、（Ｃ）は組立後の状態を示す正面図であり、（Ｄ）は組立後の状態を示す左側面図である。
【図６】一枚の厚紙から図１に示す組立シートを複数同時に作製する過程を示す図である。
【図７】本考案に係る第２形態の商品陳列用具の組立シートを示す図であり、特に、使用前（組立前）の状態を示し、（Ａ）は上面図、（Ｂ）は正面図である。
【図８】図７に示す組立シートの第１レイヤー紙と第２レイヤー紙とを分離した状態を示す図であり、特に、（Ａ）は第１レイヤー紙の背面図であり、（Ｂ）は第２レイヤー紙の正面図である。
【考案を実施するための形態】
【００１１】
以下、適宜図面を参照しつつ本発明を具体的に説明するが、本発明は図面に示す実施の形態に限定されるものではなく、本発明の要旨を変更しない限りにおいて適宜変更可能である。なお、「山折り」又は「谷折り」の文言は、組立シートを正面（表面）から見た状態を基準として用いる。
【００１２】
商品陳列用具の組立シート１０は、組立後の状態において図５（Ｂ）ないし（Ｄ）に示すように、上端側に円形の吊下孔Ｈが穿設され、吊下孔Ｈの下方に間隔をあけて商品保持用のフックＦが等間隔で複数突設される商品陳列用具を簡易に組み立てることが可能な紙製シートである。組立後の商品陳列用具Ｇは、スーパーマーケットやコンビニエンスストア等の店舗内において、小袋や小箱に入れられた衛生用マスクやスナック菓子等の小物商品に設けられた穴やヒモをフックＦに引っ掛けたり、棚に立て掛けたりすることにより、当該小物商品を上下方向に等間隔に並べて陳列することが可能である。次に、本考案に係る第１形態の商品陳列用具の組立シート１０の構成について説明する。
【００１３】
図１は、本考案に係る第１形態の商品陳列用具の組立シート１０を示す図であり、特に、使用前（組立前）の状態を示し、（Ａ）は上面図、（Ｂ）は組立シート１０の表側を示した正面図、（Ｃ）は組立シート１０の裏側を示した背面図である。組立シート１０は、略帯状のフック形成紙片１１と、フック形成紙片１１の両側に一体として設けられる略帯状の第１基板紙片１３および略帯状の第２基板紙片１５と、第１基板紙片１３に一体として設けられる連結紙片１７と、フック形成紙片１１の裏側同士を接着する第１接着手段（両面テープ１９１）と、連結紙片１３の表側に設けられる第２接着手段（両面テープ１９２）と、を有する。フック形成紙片１１は組立後にフックＦが設けられる部位であり、第１及び第２基板紙片１３、１５は組立後にフックＦに対し直交して配置され、金属製陳列棚や金網などに接する基板面を形成する部位であり、連結紙片１７は第１基板紙片１３及び第２基板紙片１５に接着されることにより組立後の商品陳列用具Ｇの形態を維持するための部位である。組立シート１０は前記各紙片を用いて構成されており、使用後には折り曲げて廃棄し易く焼却処分による環境負荷の低い商品陳列用具の組立シートを提供するこができる。
【００１４】
フック形成紙片１１は、上下方向に延びるミシン目１２を対称軸として左右対称に切り抜かれた逆凹形状の貫通部１１１が上下方向に間隔をあけて複数形成され、ミシン目１２で山折りに折り返すことによりＬ字状のフックＦが上下方向に間隔をあけて複数設けられる。ミシン目１２は、表裏に貫通する破線状の切り込みであり、フック形成紙片１１の左右はミシン目１２の非切り込み部を介して連結され、正面側からでも山折りに折り曲げ可能である。なお、本実施の形態においては、同一形状である１２個の貫通部１１１が等間隔で形成されているが、貫通部１１１の形状や切抜き位置を変えることにより、フックＦの間隔、個数及び形状を任意に変更することができる。前記逆凹形状の貫通部には、組立後のフックの先端が三角形状となる矢じり型（逆凹四角形）の形状も含む。
【００１５】
第１基板紙片１３は、裏側に形成され上下方向に延びる第１折り溝１４を介してフック形成紙片１１の一方の側縁に一体として設けられ、フック形成紙片１１の上端よりも上方に突出する第１延設部１３１を備える。第１折り溝１４は、第１基板紙片１３の裏面側から紙片を半切りにカットすることによりフック形成紙片１１と分離させずに形成される。
【００１６】
第２基板紙片１５は、裏側に形成され上下方向に延びる第２折り溝１６を介してフック形成紙片１１の他方の側縁に一体として設けられ、フック形成紙片１１の上端よりも上方に突出する第２延設部１５１を備える。第２折り溝１６は、第１折り溝１４と同様、第２基板紙片１５の裏面側から紙片を半切りにカットすることによりフック形成紙片１１と分離させずに形成される。なお、第１基板紙片１３及び第２基板紙片１５は、ミシン目１２を対称軸として左右対称に形成されており、組立後の状態において、フックＦの両側に基板面が左右対称に現れる（図５（Ｄ）参照）。
【００１７】
連結紙片１７は、横長の長方形状の紙片であり、裏側に形成され上下方向に延びる折返し溝１８を介して第１延設部１３１の外側縁に一体として設けられる。折返し溝１８、第１折り溝１４および第２折り溝１６は、いずれもミシン目１２と平行な方向に形成される。連結紙片１７は、望ましくは、図５（Ｂ）に示すように、ミシン目１２に沿ってフック形成紙片１１が約１８０°の角度で折り返され、第１折り溝１４に沿って第１基板紙片１３が約９０°の角度で折り曲げられ、第２折り溝１６に沿って第２基板紙片１５が約９０°の角度で折り曲げられた状態において、折返し溝１８に沿って約１８０°折り返したとき、第２延設部１５１の外側縁に一致する幅寸法に設定される紙片である。
【００１８】
第１接着手段は、フック形成紙片１１の裏側に設けられ、ミシン目１２に沿って折り返されたフック形成紙片１１の裏側同士を接着するもので、本実施の形態においては第１接着手段として剥離紙付きの両面テープ１９１が貫通部１１１と第１折り溝１４との間に取り付けられている。
【００１９】
第２接着手段は、連結紙片１７の表側に設けられ、第１延設部１３１及び第２延設部１５１と折返し溝１８に沿って表側に折り返された連結紙片１７とを接着するもので、本実施の形態においては剥離紙付きの両面テープ１９２が連結紙片１７の幅方向に沿って取り付けられている。
【００２０】
次に、組立シート１０を用いた商品陳列用具Ｇの組立手順の一例を図２ないし図５に基づいて説明する。
【００２１】
図２は、図１に示す組立シート１０を一部組み立てた状態を示す図であり、（Ａ）は上面図、（Ｂ）は正面図である。図２に示すとおり、ミシン目１２に沿ってフック形成紙片１１の裏面同士が相互に接するようにフック形成紙片１１を約１８０°の角度で折り返し、両面テープ１９１により接着することにより、先端が上向きのＬ字状のフックＦが形成される。フック形成紙片１１はミシン目１２の非切り込み部を介して連結しており、約１８０°の角度で折り返した状態においても分離することなくフックＦが形成される。フック形成紙片１１の一方の側縁に一体として設けられている第１基板紙片１３および連結紙片１７は、この折り曲げ手順により、第２基板紙片１５側に移動する。
【００２２】
図３は、図２に示す組立シート１０を一部組み立てた状態を示す図であり、特に、（Ａ）は上面図、（Ｂ）は正面図である。図３に示すとおり、折返し溝１８に沿って連結紙片１７を第１基板紙片１３に接するように約１８０°折り曲げる。
【００２３】
図４は、図３に示す組立シート１０を一部組み立てた状態を示す図であり、特に、（Ａ）は上面図、（Ｂ）は正面図である。図４に示すとおり、第２基板紙片１５を第２折り溝１６に沿ってフック形成紙片１１とのなす角が約９０°となるように折り曲げる。
【００２４】
図５は、図４に示す組立シート１０を組み立てる過程を示す図であり、特に、（Ａ）は図４に示す組立シートを反時計回りに約９０°回転させる途中の状態を示す上面図であり、（Ｂ）は同（Ａ）に示す状態からの組立の最終工程を示す上面図であり、（Ｃ）は組立後の状態を示す正面図であり、（Ｄ）は組立後の状態を示す左側面図である。なお、図４（Ａ）は組立シート１０の組立手順を分かりやすく説明するために示した図に過ぎない。
【００２５】
図４に示す状態から、第１基板紙片１３を第１折り溝１４に沿ってフック形成紙片１１とのなす角が約９０°となるように折り曲げる。かかる折り曲げ操作にともない、第１基板紙片１３の回転（折り曲げ）方向に連結紙片１７が一体として移動することにより、両面テープ１９２が取り付けられた連結紙片１７の表面が第２基板紙片１５の表面に接する。そこで、剥離紙を剥がして両面テープ１９２により連結紙片１７と第２基板紙片１５とを接着する。
【００２６】
上記手順によれば、第１基板紙片１３及び第２基板紙片１５により形成される略面一の基板面に対してフックＦが直交して配置される構成の商品陳列用具Ｇを組み立てることができる。本考案によれば、使用前（図１又は図２）の状態においては平板状であることから嵩張らずにコンパクトな形態で納品して保管することができ、使用に際しては簡易な手順と両面テープ等による簡易な接着手段により容易に組み立てて使用することができる。一度の折り曲げ操作により複数のフックＦを同時的に形成することができ、剥離紙付きの両面テープ１９１、１９２を用いれば使用時までの保管が容易であり、組立時には剥離紙を剥がして接着できる。
【００２７】
組立シート１０を用いて組み立てられた商品陳列用具Ｇは、紙片が二重に重ね合わされた箇所をフックＦとするので頑丈である。フックＦの先端は上方に向けて延びるので、引っ掛けられた商品が落下しにくい。フックＦはＬ字型であり、特許文献１に開示される構成の引っ掛け片とは異なり、フックＦの先端と基板紙片１３、１５との間にスペースが確保されるので、商品を傷めずに様々な形状の商品を吊り下げやすい。
【００２８】
商品陳列用具Ｇは、棚等に立て掛けて使用することも可能であるが、店舗内に固設された大型の金属製陳列棚や金網などから吊り下げて使用する場合には、その上端部にヒモやＳ字フック（図示しない）が装着される吊下孔Ｈが設けられる。本実施の形態の組立シート１０においては、連結紙片１７は円形の吊下孔Ｈを有し、第１延設部１３１及び第２延設部１５１は、吊下孔Ｈとの重なりを回避する切欠き１３２、１５２を有する。
【００２９】
この点、吊下孔Ｈは、組立シート１０から商品陳列用具Ｇを組み立てた状態（図５（Ｃ）（Ｄ）参照）において、吊下孔Ｈが、左右に均等な位置に配置されるように設けることが望ましい。具体的には、フックＦが形成されたフック形成紙片１１に対して、第１折り溝１４に沿って約９０°の角度で第１基板紙片１３を折り曲げ、第２折り溝１６に沿って約９０°の角度で第２基板紙片１５を折り曲げ、折返し溝１８に沿って約１８０°の角度で連結紙片１７を折り返したとき、図５（Ｄ）に示すように、フックＦの上方に配置される箇所に形成される円形の吊下孔Ｈを設けることが望ましい。
【００３０】
吊下孔Ｈは円形であるため、ヒモ等を吊下孔Ｈに通して金網等に装着したとき、商品陳列用具Ｇを鉛直下向きに吊り下げることができる。第１延設部１３１及び第２延設部１５１には切欠き１３２、１５２が形成されており、ヒモ等を通しやすい。
【００３１】
図６は、一枚の厚紙Ｐから図１に示す組立シート１０を複数同時に作製する過程を示す図であり、特に、厚紙Ｐを裏側から示した図である。ミシン目１２は表裏に貫通し、第１折り溝１４，第２折り溝１６及び折返し溝１８はいずれも裏側に形成される折り溝線である。かかる厚紙シート１０の形状に対応する型枠を厚紙Ｐの裏側に押し付けて切り込むことにより、組立シート１０の外形や貫通部１１１を打ち抜く工程、ミシン目１２を形成する工程、及び、厚紙を半切りして折り溝１４、１６、１８を形成する工程を同時に実行することができ、また、図示するように厚紙シート１０を上下互い違いに配置することで、複数の組立シート１０を効率よく作製することができる。なお、後述する第２形態の組立シート２０も同様に作製することができる。
【００３２】
次に、本考案に係る第２形態の商品陳列用具の組立シート２０について説明する。図７は、第２形態の組立シート２０を示す図であり、特に、使用前（組立前）の状態を示し、（Ａ）は上面図、（Ｂ）は正面図である。図８は、図７に示す組立シート２０を分解（第１レイヤー紙２２側と第２レイヤー紙２３側とに分離）した状態を示す図であり、特に、（Ａ）は第１レイヤー紙２２側の背面（裏面）図であり、（Ｂ）は第２レイヤー紙２３側の正面図である。図７に示すとおり、第２形態の組立シート２０は、第１形態の組立シート１０を途中まで組み立てた状態（図２）と同様の形態であり、第１形態の組立シート１０と同様の組立手順及び効果を有するものであり、共通する部位ないし要素については同一の符号を付して適宜説明を省略する。
【００３３】
組立シート２０は、フック形成紙片２１と、裏側に形成され上下方向に延びる第１折り溝１４を介して第１レイヤー紙２２の他方の側縁に一体として設けられ、フック形成紙片２１の上端よりも上方に突出する第１延設部１３１を備える第１基板紙片１３と、図中一点鎖線で示す裏側の位置に設けられ上下方向に延びる第２折り溝１６を介して第２レイヤー紙２３の他方の側縁に一体として設けられ、フック形成紙片２１の上端よりも上方に突出する第２延設部１５１を備える第２基板紙片１５と、裏側に形成され上下方向に延びる折返し溝１８を介して第１延設部１３１の外側縁に一体として設けられる連結紙片１７と、第１レイヤー紙２２及び第２レイヤー紙２３の裏側に形成され、第１レイヤー紙２２及び第２レイヤー紙２３の裏側同士を接着する第１接着手段と、連結紙片１７の表側に設けられ、第１延設部１３１及び第２延設部１５１と折返し溝１８に沿って表側に折り返された連結紙片１７とを接着する第２接着手段（両面テープ１９２）と、を有する。
【００３４】
フック形成紙片２１は、第１レイヤー紙２２、及び、第２レイヤー紙２３を備える。第１レイヤー紙２２は、上下方向に延びる帯部２２１と帯部２２１の一方の側縁に上下方向に間隔をあけて形成される複数のフック部２２２とを含む。第２レイヤー紙２３は、第１レイヤー紙２２と左右対称形状であり、上下方向に延びる帯部２３１と帯部２３１の一方の側縁に上下方向に間隔をあけて形成される複数のフック部２３２とを含む。第１レイヤー紙２２には、第１接着手段としての両面テープ２４１が、帯部２２１及びフック部２２２に取り付けられており、第１レイヤー紙２２と第２レイヤー紙２３とを重ね合わせた状態で接着することにより、Ｌ字状のフックＦが上下方向に間隔をあけて複数設けられる。
【００３５】
上記構成を有する第２形態の組立シート２０は、図３ないし図５に示した通りの手順により、図５（Ｃ）及び（Ｄ）に示すものと同様の構成の商品陳列用具を組み立てて使用することができ、使用前（図７）の状態においては平板状であることからコンパクトな形態で納品して保管することができ、使用に際しては簡易な手順と両面テープ等による簡易な接合手段により容易に組み立てて使用することができる。
【００３６】
前述のとおり、商品陳列用具は、第１形態の組立シート１０によっても、第２形態の組立シート２０によっても組み立てることができ、図１に示す形態で店舗等に納品しても良いが、図７に示す形態で店舗等に納品しても良い。
【００３７】
なお、連結紙片１７は、組立シート１０と同様の位置に円形の吊下孔Ｈを有する。また、第１延設部１３１及び第２延設部１５１は、吊下孔Ｈとの重なりを回避する切欠き１３２、１５２を有する。
【００３８】
本考案は、上記実施の形態ないし実施例に限定されず、その発明の趣旨を逸脱しない範囲で種々変形実施が可能である。第１形態及び第２形態の組立シート１０、２０は、用具吊下孔Ｈに取り付けられるヒモ又はＳ字金具等（図示省略）を有するものであっても良く、商品陳列用具を店舗内に固設された大型の金属製陳列棚や金網などに装着する際に用いることができる。
【符号の説明】
【００３９】
１０      組立シート
１１      フック形成紙片
１１１    貫通部
１２      ミシン目
１３      第１基板紙片
１３１    第１延設部
１３２    切欠き
１４      第１折り溝
１５      第２基板紙片
１５１    第２延設部
１５２    切欠き
１６      第２折り溝
１７      連結紙片
１８      折返し溝
１９１    両面テープ
１９２    両面テープ
２０      組立シート
２１      フック形成紙片
２２      第１レイヤー紙
２２１    帯部
２２２    フック部
２３      第１レイヤー紙
２３１    帯部
２３２    フック部
２４１    両面テープ
Ｇ        商品陳列用具
Ｈ        吊下孔
Ｆ        フック    
【図１】
0003233553.tif 000003
【図２】
0003233553.tif 000004
【図３】
0003233553.tif 000005
【図４】
0003233553.tif 000006
【図５】
0003233553.tif 000007
【図６】
0003233553.tif 000008
【図７】
0003233553.tif 000009
【図８】
0003233553.tif 000010